(57)【要約】【課題】第一、第二パネル体２ａ、２ｂ同士を、第一連結金具１１の第一脚部１１ｃを第二連結金具１２の第二脚部１２ｃに摺接状に内嵌することで連結するものにおいて、その場合の摺動抵抗を小さくする。【解決手段】第一脚部１１ｃの第一先部１１ｈが、第二脚部１２ｃの第二先部１２ｅに遊嵌状に内嵌すると共に、第一脚部１１ｃの第一基部１１ｇと第二脚部１２ｃの第二先部１２ｅとが摺動するように嵌合する構成にして、摺動部位を少なくして摺動抵抗を低減する。【選択図】図５
2018159231.tif 000002
【特許請求の範囲】
【請求項１】
隣接するパネル体の端部同士を、該各パネル体端部にそれぞれ形成した凹溝に組込んだ各連結金具を用いて連結するにあたり、
該各連結金具は、凹溝の溝底面にビス固定される跨部と、凹溝の溝側面から内側に離間する状態で跨部から連結相手のパネル体側に向けて延出する一対の脚部とをそれぞれ備え、
前記各連結金具の一対の脚部同士の対向間隔は、跨部側の基部が幅広で先部が幅狭になっており、
一方の連結金具脚部を他方の連結金具脚部に内嵌した状態では、該内嵌した一方の脚部の基部外側面が他方の脚部の先部内側面に摺接していることを特徴とするパネル体の連結構造。
【請求項２】
何れか一方の連結金具跨部の両端部には、凹溝の溝側面に当接するか近接対向するようにして外側脚部が形成され、該外側脚部の先端部には、連結されるパネル体の端縁間に挟持される目地部が外側に向けて形成されていることを特徴とする請求項１記載のパネル体の連結構造。
【請求項３】
何れか一方の連結金具跨部の一端部には、凹溝の溝側面に当接するか近接対向するようにして外側脚部が形成され、他方の連結金具跨部の他端部には、凹溝の溝側面に当接するか近接対向するようにして外側脚部が形成され、これら外側脚部の先端部には、連結されるパネル体の端縁間に挟持される目地部が外側に向けて形成されていることを特徴とする請求項１記載のパネル体の連結構造。
【発明の詳細な説明】
【技術分野】
【０００１】
本発明は、トイレブースに用いられる奥行パネル等のパネル体の連結構造の技術分野に関するものである。
【背景技術】
【０００２】
一般に、トイレブースはパネル体を用いて便器の周囲を囲撓することになるが、このようなパネル体において、例えば正面パネルに対しＴ字形に設けられる奥行パネルは前後方向に長くなり、このため、パネル体同士を連結して一枚板状の奥行パネルを構成するようにしたものがある。このような場合に、連結金具を用いてパネル体同士の連結を行うことがある（例えば特許文献１図２参照。）。
【先行技術文献】
【特許文献】
【０００３】
【特許文献１】実開平４−９２９０７号公報
【発明の概要】
【発明が解決しようとする課題】
【０００４】
ところが前記従来のものは、一方のパネル体の端部から突出するように設けた一対の平板状の脚片を、他方のパネル体の端部に形成した凹溝に摺接状に内嵌するものであるから、内嵌する際の摺動寸法が長く、このため摺動抵抗が大きくなって内嵌作業に手間がかかり、特に奥行パネルが床面から天井にまで至るような長尺物である場合、内嵌作業の作業性が悪いだけでなく、精度よく内嵌しないことが発生する惧れがあるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、隣接するパネル体の端部同士を、該各パネル体端部にそれぞれ形成した凹溝に組込んだ各連結金具を用いて連結するにあたり、該各連結金具は、凹溝の溝底面にビス固定される跨部と、凹溝の溝側面から内側に離間する状態で跨部から連結相手のパネル体側に向けて延出する一対の脚部とをそれぞれ備え、前記各連結金具の一対の脚部同士の対向間隔は、跨部側の基部が幅広で先部が幅狭になっており、一方の連結金具脚部を他方の連結金具脚部に内嵌した状態では、該内嵌した一方の脚部の基部外側面が他方の脚部の先部内側面に摺接していることを特徴とするパネル体の連結構造である。
請求項２の発明は、何れか一方の連結金具跨部の両端部には、凹溝の溝側面に当接するか近接対向するようにして外側脚部が形成され、該外側脚部の先端部には、連結されるパネル体の端縁間に挟持される目地部が外側に向けて形成されていることを特徴とする請求項１記載のパネル体の連結構造である。
請求項３の発明は、何れか一方の連結金具跨部の一端部には、凹溝の溝側面に当接するか近接対向するようにして外側脚部が形成され、他方の連結金具跨部の他端部には、凹溝の溝側面に当接するか近接対向するようにして外側脚部が形成され、これら外側脚部の先端部には、連結されるパネル体の端縁間に挟持される目地部が外側に向けて形成されていることを特徴とする請求項１記載のパネル体の連結構造である。
【発明の効果】
【０００６】
請求項１の発明とすることにより、隣接するパネル体同士を、各パネル体端部に形成した凹溝に組込んだ連結金具を用い、一方の連結金具の脚部を他方の連結金具の脚部に内嵌して連結するものでありながら、脚部同士の摺接寸法が、一方の脚部の基部外側面が他方の脚部の先部内側面だけとなって短くなって、パネル体が長尺物であっても容易な連結作業ができることになる。
請求項２、３の発明とすることにより、パネル体同士を連結した場合に、目地部がパネル体に挟持された状態で目視でき、この結果、目地部の挟持状態を観察することで、パネル体同士の連結が確実に行われているか否かの確認ができ、作業性が向上する。
【図面の簡単な説明】
【０００７】
【図１】（Ａ）（Ｂ）はトイレブースの平面図、正面図である。
【図２】トイレブースの水平断面図である。
【図３】正面パネルの背面図である。
【図４】正面パネルの縦断面図である。
【図５】奥行パネルの連結部位の拡大水平断面図である。
【図６】奥行パネルの連結部位の側面図である。
【図７】（Ａ）（Ｂ）は第一、第二連結金具の平面図である。
【図８】（Ａ）（Ｂ）（Ｃ）は固定金具の側面図、正面図、平面図である。
【図９】第二の実施の形態を示す奥行パネルの連結部位の拡大水平断面図である。
【図１０】第三の実施の形態を示す奥行パネルの連結部位の拡大水平断面図である。
【図１１】（Ａ）（Ｂ）正面パネルの壁取付け部位を示す水平拡大断面図、他例の水平拡大断面図である。
【図１２】パネル体が上下に連結された他例の奥行パネルの縦断面図である。
【発明を実施するための形態】
【０００８】
以下、本発明の実施の形態について、図面に基づいて説明する。図面において、１はトイレブースを構成するための正面パネル、２は奥行パネルであって、これら正面、奥行パネル１、２はＴ字形に設けられていると共に、何れも床面Ｆから天井板Ｃにまで至る長尺物で構成されている。そして隣接する正面パネル１間には出入り口となる開口部が形成され、該開口部にドア体３が開閉自在に設けられていること等は何れも従来通りである。
【０００９】
前記天井板Ｃの上面には天井下地４が設けられ、天井板Ｃの下面に配された冂字形をした天井レール５は、跨部５ａから天井板Ｃを貫通したビス５ｂが天井下地４に螺入することで固定されている。尚、本実施の形態では、天井レール５は、正面、奥行パネル１、２と同寸法とすることでドア体４の上部位にはない構造になっているが、ドア体３の上方部位にまで至る長尺物を採用することもできる。
【００１０】
６は正面パネル体１の上端部に間隔を存して複数設けられる固定金具であって、該固定金具６は、Ｌ字形をし、下片部６ａが正面パネル体１の上端部に設けた凹溝１ａの溝底にビス６ｂを介して固定されるが、この固定状態で縦片部６ｃと凹溝１ａの溝側面１ｅとのあいだには、天井レール５の一方（例えばトイレ内方）の脚片５ｃが内嵌する隙間が設けられていると共に、縦片部６ｃは、上端がパネル体１の上端よりも上方に延出している。そして脚片５ｃから螺入したビス５ｄにより天井レール５と固定金具６とが固定されるようになっている。
【００１１】
一方、床面Ｆには、凵字形をした床レール７の跨部７ａがビス７ｂを介して固定されている一方、正面パネル体１の下端縁には冂字形をした巾木８の跨部８ａが設けられるが、巾木８の脚部８ｂは床レール７の脚部７ｃに外嵌している。巾木８内には、固定フロアジャッキ具９とフロアジャッキ具１０とが内設されるが、固定フロアジャッキ具９は、正面パネル１の下端縁に設けた逆凹溝１ｂの溝底１ｃに固定された固定ピン９ａと、床面Ｆにビス９ｂを介して固定された固定金具９ｃと、該固定金具９ｃに上下移動自在に設けた可動金具９ｄと、該可動金具９ｄにビス９ｅを介して設けたピン受け９ｆと、固定金具９ｃに対する可動金具９ｄの上下移動調節をするための調節ボルト９ｇと、該調節ボルト９ｇに螺入するナット９ｈと、調節された可動金具９ｄを固定金具９ｃに固定するためのビス９ｉとを備えて構成されている。そして固定フロアジャッキ具９は、固定ピン９ａをピン受け９ｆに入れて位置固定した状態で調節ボルト９ｇのボルト頭を回転し、これにより正面パネル１の高さ位置調節をした後、ビス９ｉの緊締をすることで正面パネル１の固定支持ができるようになっている。
【００１２】
一方、固定機能のないフロアジャッキ具１０は、冂字形をし、床レール７に内嵌する固定金具１０ａと調節ボルト１０ｂとを用いて構成され、調整ボルト１０ｂのボルト頭を回転し、これにより固定金具１０ａに対して調節ボルト１０ｂを上下動することで正面パネル１の高さ調節ができるようになっている。
また正面パネル１の壁Ｗへの取付け構造であるが、本実施の形態では、図２に示すものを図１１（Ａ）で拡大しているが、壁Ｗに当てがわれ、ビス１４ａを介して壁下地１５に固定される凵字形をした壁レール１４に正面パネル１の端縁を内嵌する構成にしているが、図１１（Ｂ）に示す他例のように、正面パネル１の端縁に形成した凹溝１ｄに、ビス１６ａを介して壁下地１５に固定した壁レール１６の脚片を内嵌する構成としてもよく、このようにすることにより壁レール１６が角に隠れた構造となって外観性が向上する。尚、この場合、凹溝１ｄと壁レール１６との隙間により正面パネル１が振れることが想定され、そこでビス１７ａを介して凹溝１ｄに固定される振れ止めレール１７の脚片を壁レール１６の脚片に内嵌する構成にすることが好ましい。
因みに、奥行パネル２についても正面パネル１と同様の天井および床面固定構造が採用されているため、その詳細については省略する。
【００１３】
さらに前記奥行パネル２は、本発明が実施されるものであるが、二枚（複数枚）のパネル体２ａ、２ｂ（説明の都合上、奥側のパネル体を「第一パネル体２ａ」、正面パネル側のパネル体を「第二パネル体２ｂ」と記載するが、これに限定されないことは勿論である。）を奥行方向に一連状に連結したもので構成されているが、その連結部には、第一連結金具（本発明の「一方の連結金具」に相当する。）１１、第二連結金具（本発明の「他方の連結金具」に相当する。）１２が用いられている。
【００１４】
第一、第二パネル体２ａ、２ｂの連結対向端縁には、第一、第二凹溝２ｃ、２ｄがそれぞれ形成され、第一パネル体２ａに形成される第一凹溝２ｃには第一連結金具１１が取付けられるが、該第一連結金具１１は、第一凹溝２ｃの溝底面に当接するように内嵌してビス１１ｂを用いて第一パネル体２ａに固定される跨部１１ａと、第一凹溝２ｃの溝側片から左右方向内側に離間する状態で跨部１１ａから第二パネル体２ｂ側に延出する一対の第一脚部（本発明の「一方の連結金具の脚部」に相当する。）１１ｃと、該第一脚部１１ｃから左右方向外方に離間していて第一凹溝２ｃの溝側面に当接するか近接対向する状態で延出して第一パネル体２ａの端縁にまで至る外側脚部１１ｄと、該外側脚部１１ｄの先端から左右方向外方に向けて折曲する折曲部１１ｅと、該折曲部１１ｅの先端から肉厚になる状態で左右方向外方に延出していて第一、第二パネル体２ａ、２ｂ同士を連結した場合に該第一、第二パネル体の互いに隣接する端縁間に挟持されて目地として機能する目地部１１ｆとを備えて構成されている。
さらに一対の第一脚部１１ｃは、跨部１１ａ側である第一基部１１ｇの対向間隔が幅広で、第一先部１１ｈの対向間隔が第一基部１１ｇよりも幅狭になるように設定されるが、該第一先部１１ｈは、対向間隔が先端側ほど幅狭になるよう傾斜する傾斜部１１ｉと、該傾斜部１１ｉの先端部位の幅をそのまま維持するようにして第二パネル体２ｂ側に延出する幅狭部１１ｊを備えて構成されている。
【００１５】
一方、第二連結金具１２には、第二パネル体２ｂに形成の第二凹溝２ｄの溝底面に当接するよう内嵌してビス１２ｂを用いて第二パネル体２ｂに固定される跨部１２ａと、第二凹溝２ｄの溝側片から左右方向内側に離間する状態で跨部１２ａから第一パネル体２ａ側に向けて延出する第二脚部（本発明の「他方の連結金具の脚部」に相当する。）１２ｃとを備えて構成されている。
そして第二脚部１２ｃは、跨部１２ａ側の第二基部１２ｄの対向間隔が幅広で、第二先部１２ｅの対向間隔が第二基部１２ｄよりも幅狭になり、かつ該第二先部１２ｅの先端が左右方向外方に向けて僅かに拡開した拡開部１２ｆが形成されている。
【００１６】
しかも前記第一脚部１１ｃと第二脚部１２ｃとのあいだの寸法設定であるが、これは、第一、第二連結金具１１、１２同士を嵌合組込みした場合に、第一脚部１１ｃが第二脚部１２ｃに内嵌（第二脚部１２ｃが第一脚部１１ｃに外嵌）することになる。この場合に、第一先部１１ｈは第二脚部１２ｃに遊嵌状に内嵌し、第二先部１２ｅは第一脚部１１ｃに遊嵌状に外嵌するが、第一基部１１ｇは、外側面が第二先部１２ｅの内側面に摺接するように設定されている。
【００１７】
さらに第一、第二パネル体２ａ、２ｂの連結部位の上下端部は、Ｌ字形をした固定金具１３を用いて天井レール５、巾木８に固定されている。固定金具１３の一片１３ａは、本実施の形態では第一連結金具１１の跨部１１ａに当てがわれた状態でビス１３ｃを介して固定され、他片１３ｂは天井レール５、巾木８の跨部５ａ、８ａに当てがわれた状態でビス１３ｃを介して固定されるようになっているが、逆に、固定金具１３の一片１３ａを第二連結金具１２の跨部１２ａに当てがった状態で天井レール５、巾木８側にビス固定するようにしても勿論よい。
【００１８】
叙述の如く構成された本発明の実施の形態において、奥行パネル２は、第一、第二パネル体２ａ、２ｂを一連状に連結して構成されることになるが、この場合に用いられる第一、第二連結金具１１、１２は、第一脚部１１ｃが第二脚部１２ｃに内嵌することになる。この場合に、組込み当初では、第一脚部１１ｃの第一先部１１ｈが、第二脚部１２ｃの第二先部１２ｅに遊嵌状に内嵌するため摺動抵抗がなく、仮嵌合状態で内嵌する。そして第一基部１１ｇが第二先部１２ｅに達した段階から両者間の摺動抵抗が発生してくることになるため、第一、第二連結金具１１、１２の連結作業が容易になる。
【００１９】
しかもこのものでは、第一、第二パネル体２ａ、２ｂ同士を連結した場合に、第一連結金具１１に設けた目地部１１ｆが、両パネル体２ａ、２ｂの端縁部に挟持される状態で目視できることになるため、この挟持が傾斜状になっていたりした場合に、第一、第二パネル体２ａ、２ｂ同士の連結が不十分であることを認識することができ、この不十分な連結を是正（修正）するよう組込み作業をすることで第一、第二パネル体２ａ、２ｂ同士の正確な連結ができることになる。
【００２０】
そのうえこのものでは、第二先部１２ｅが第一基部１１ｇに外嵌する状態で摺接しているため、例えば寸法誤差等のため、第二先部１２ｅが第一基部１１ｇに無理嵌め状の外嵌になった場合に、第二脚部１２ｃは、第二凹溝２ｄおよび外側脚部１１ｄから離間した構成になっているため、第二脚部１２ｃが外側に弾性変形する状態での外嵌ができることになり、組立て性を損なうことがない。
【００２１】
尚、本発明は、前記実施の形態に限定されないものであることは勿論であり、例えば目地部については、第一連結金具１１に設けたものではなく、図９に示す第二の実施の形態のように第二連結金具１２側に目地部１２ｇを設けてもよく、また図１０に示す第三の実施の形態のように、第一、第二の連結金具１１、１２に齟齬状に目地部１１ｆ、１２ｇを設けたものとしても実施することができる。
【００２２】
また本発明は、前記実施の形態のように、隣接するパネル体同士を幅方向に連結する場合に限定されるものではなく、図１２に示す他例のように上下方向にパネル体を連結する場合についても実施することができる。
【産業上の利用可能性】
【００２３】
本発明は、トイレブース等に用いられるパネル体の連結構造として利用することができる。
【符号の説明】
【００２４】
１  正面パネル
２  奥行パネル
２ａ  第一パネル体
２ｂ  第二パネル体
２ｃ  第一凹溝
２ｄ  第二凹溝
１１  第一連結金具
１１ａ  跨部
１１ｂ  ビス
１１ｃ  第一脚部
１１ｄ  外側脚部
１１ｆ  目地部
１１ｇ  第一基部
１１ｈ  第一先部
１２  第二連結金具
１２ａ  跨部
１２ｂ  ビス
１２ｃ  第二脚部
１２ｄ  第二基部
１２ｅ  第二先部
【図１】
2018159231.tif 000003
【図２】
2018159231.tif 000004
【図３】
2018159231.tif 000005
【図４】
2018159231.tif 000006
【図５】
2018159231.tif 000007
【図６】
2018159231.tif 000008
【図７】
2018159231.tif 000009
【図８】
2018159231.tif 000010
【図９】
2018159231.tif 000011
【図１０】
2018159231.tif 000012
【図１１】
2018159231.tif 000013
【図１２】
2018159231.tif 000014